(57)【要約】【課題】ボルトやナットなどの突起物のケレンを簡易に行え、コンパクトで低コストの工具を提供する。【解決手段】突起物のケレン工具１は、電動ドリルやディスクグラインダと脱着可能に連結する連結部１０と、この連結部１０に連設され連結部１０と一体となって回転する筒状の本体２０と、この本体の内側に一端を固装され、他端が本体の中心軸方向に延びる金属線材３０とを備えている。この本体２０を突起物に被せ回転させると、金属線材３０の先端が突起物の周囲に接して回転し、簡易にケレンを行うことができる。【選択図】図１
2011218449.tif 000002
【特許請求の範囲】
【請求項１】
電動ドリルやディスクグラインダなどのように回転駆動する機械の駆動軸と脱着可能に連結する連結部と、
この連結部に後方で連設され、前方が開口している筒状の本体と、
この本体の内側に一端を固装され、他端が前記本体の中心軸方向に延びる金属線材と、
を備えたことを特徴とする突起物のケレン工具。
【請求項２】
請求項１において、
前記本体の前方端部付近に一端が固装された前記金属線材は、他端が前記本体の中心軸と垂直な方向より前方に傾斜して延びていることを特徴とする突起物のケレン工具。
【請求項３】
請求項１または２において、
前記金属線材は、複数の列状に配設されており、この列は、前記本体の中心軸に対して平行または螺旋状になっていることを特徴とする突起物のケレン工具。
【請求項４】
請求項３において、
前記本体の前方端部の内側で、前記金属線材の隣り合う前記列同士の間に、回転時、前記本体の中心軸を突起物の中心軸と一致させる方向に前記本体を誘導するガイド部をさらに備えたことを特徴とする突起物のケレン工具。
【発明の詳細な説明】
【技術分野】
【０００１】
本発明は、ボルトやナットなどの突起物をケレン（塗装前のさび落とし）するための工具に関するものである。
【背景技術】
【０００２】
工場の屋根や橋梁などにはボルトやナットが突出している。これらを塗装するには、ケレンを行わなければならない。しかし、平面であれば電動工具にカップブラシを取り付け比較的容易にケレンをすることができるが、ボルトやナットのような突起物は、カップブラシの角度を何度も変えてケレンをするか、ワイヤブラシを用いて手作業でケレンを行わなければならなかった。
【０００３】
このため、突起物のケレンを簡易に行えるよう、特許文献１記載の研磨装置が提案されている。この装置は、研磨体を複数設け、研磨体を自転させるとともに研磨する突起物を中心として公転させるものである。
【０００４】
しかし、特許文献１記載の装置では、研磨体を自転させるため外形が大きくなり、ボルトやナットが近接している箇所では装置が使えないという問題があった。また、重量がかさむため、長時間横向きに作業することは困難であるという問題もあった。さらに、カップブラシに比較して極めて高コストであるという問題もあった。
【先行技術文献】
【特許文献】
【０００５】
【特許文献１】特開２０００−２０２７５７号公報
【発明の概要】
【発明が解決しようとする課題】
【０００６】
本発明は、このような事情に鑑みてなされたものであり、ボルトやナットなどの突起物のケレンを簡易に行え、コンパクトで低コストの工具を提供することを目的としている。
【課題を解決するための手段】
【０００７】
上記課題を解決するために、請求項１に係る発明では、
電動ドリルやディスクグラインダなどのように回転駆動する機械の駆動軸と脱着可能に連結する連結部と、この連結部に後方で連設され、前方が開口している筒状の本体と、この本体の内側に一端を固装され、他端が本体の中心軸方向に延びる金属線材と、を備えている。
【０００８】
請求項２に係る発明では、請求項１において、本体の前方端部付近に一端が固装された金属線材は、他端が本体の中心軸と垂直な方向より前方に傾斜して延びている。
【０００９】
請求項３に係る発明では、請求項１または２において、金属線材が複数の列状に配設されており、この列は、本体の中心軸に対して平行または螺旋状になっている。
【００１０】
請求項４に係る発明では、請求項３において、本体の前方端部の内側で、金属線材の隣り合う列同士の間に、回転時、本体の中心軸を突起物の中心軸と一致させる方向に本体を誘導するガイド部をさらに備えている。
【発明の効果】
【００１１】
請求項１の発明によれば、ボルトやナットなどの突起物に筒状の本体を被せて回転させると、金属線材の本体に固装されていない側の先端が、突起物の側面に接しながら突起物の周りを回転する。これにより、非常に簡易に突起物のケレンを行うことができる。
【００１２】
請求項２の発明によれば、金属線材の本体に固装されていない側の先端が、最もケレンを行いにくい突起物の付け根周辺に当たりやすくなっている。これにより、短時間でよりきれいに突起物の付け根周辺のケレンを行うことができる。
【００１３】
請求項３の発明によれば、ケレン中の摩擦抵抗が少ないため、低トルクの電動ドリル等、すなわち軽量の電動ドリル等を使用することができる。また、ケレン中に作業者が受ける反力も少ない。これらにより、作業者の疲労を軽減することができる。
【００１４】
請求項４の発明によれば、本体が回転すると、ガイド部が本体の中心軸を突起物の中心軸と一致させる方向に本体を誘導する。このため、作業者は本体の中心軸を突起物の中心軸と一致させるために余分な力を入れる必要がなく楽に作業ができる。また、金属線材が降伏点を超えて曲がり、本発明に係る工具が使用不能に陥ることを防止することができる。
【図面の簡単な説明】
【００１５】
【図１】実施例１の斜視図である。
【図２】使用時の側面図である。
【図３】ボルトねじをケレンするときの使用方法を説明した図である。
【図４】実施例２の金属線材部分を説明するための側面端面図である。
【図５】実施例２の使用時を説明するための側面端面図である。
【図６】実施例３のガイド部を説明するための正面図である。
【図７】実施例３の変形例を説明するための正面図である。
【発明を実施するための形態】
【００１６】
以下、本発明である突起物のケレン工具を具体化した実施例について図面を参照しつつ説明する。
【実施例１】
【００１７】
まず、実施例１の突起物のケレン工具１の構成について、主に図１を参照して説明する。突起物のケレン工具１は連結部１０、本体２０、金属線材３０で構成される。
【００１８】
連結部１０は、図２に示すように電動ドリル１００に脱着可能に連結される。連結部１０は、高トルクを伝達できるよう軸方向断面が六角形になっている。
【００１９】
本体２０は前方が開口し、後方が閉じた円筒形状をしている。そして、連結部１０と中心軸が同軸となるように後方で連結部１０に連設されている。すなわち、本体２０は連結部１０と一体となって回転する。本体２０の後方側は、連結部１０に連設していれば必ずしも閉じている必要はないが、ケレン時に金属線材３０が折れて飛散し、作業者が怪我をしないために閉じているのが望ましい。本実施例では本体２０の材料は、アルミニウム合金であるが、材料はこれに限られるものではない。
【００２０】
金属線材３０は、一端が本体２０の内側に固装され、他端が本体２０の中心軸に向かって半径方向に真っすぐ延びている。金属線材３０の固装される側の一端は、本体２０の中心軸と平行に６列に配設されている。この列は、本体２０の内周を内周方向に均等に６分割している。金属線材３０は、一端を直接本体２０の内側に固装してもよいが、本実施例では部材２２を介して固装している。金属線材３０の材料は、金属ばね用材料が望ましく、本実施例では、ばね用ステンレス鋼線を用いているが、材料はこれに限られるものではない。また、金属線材３０の線径は、通常のカップブラシやワイヤブラシに用いられる金属線材よりも太いものを用いている。
【００２１】
つぎに、突起物のケレン工具１の使用方法を、工場の屋根に上向きに突出するナットとボルトねじをケレンする場合を具体例として説明する。
【００２２】
前提として、突起物のケレン工具１は、ナットのサイズに合ったものを使用する。また、電動ドリル１００の回転方向は、ナットの緩みを防止するため、右回転が望ましい。
【００２３】
まず、本体２０の前方端部２１側をナットとボルトねじに上から被せて電動ドリルを回転させる。そうすると、金属線材３０の自由端側の先端（以下、単に先端という。）がナットの側面に接しながらナットの周りを回転する。これをそのまましばらく保持するとナットの側面をケレンすることができる。つぎに、本体２０を少し上に引き上げ、前方端部２１に最も近い金属線材３０の先端がちょうどナットとボルトねじの境目あたりになるように突起物のケレン工具１を保持するとともに、金属線材３０の先端全体がボルトねじの外周にまんべんなく当たるように、図３に示すとおり、本体２０をボルトネジの中心軸を中心として右回りに回転させる。こうすることにより、ボルトねじの外周をケレンすることができる。
【００２４】
突起物のケレン工具１は、突起物のサイズに合ったものを使用するのが望ましいが、サイズが合わない場合であっても、突起物に対して突起物のケレン工具１のサイズが大きい場合は上記の要領にて使用することができる。
【実施例２】
【００２５】
実施例２の突起物のケレン工具２は、実施例１の突起物のケレン工具１とほぼ同様の構成となっている。このため、突起物のケレン工具１と異なる点についてのみ説明する。なお、同様の構成については突起物のケレン工具１と同一の符号を付している。
【００２６】
図４に示すとおり、突起物のケレン工具２の金属線材３１は、本体２０を側方から見たときに、固装された側よりも先端側が前方になるように傾斜している。本実施例では、全ての金属線材３１を傾斜させているが、本体２０の前方端部２１付近の金属線材３１のみを傾斜させてもよい。
【００２７】
これにより、図５に示すとおり、ナットの付け根周辺、すなわち、ナットの側面で板と接する付近を短時間できれいにケレンできる。突起物のケレン工具２の使用方法は、突起物のケレン工具１の使用方法と同じである。
【実施例３】
【００２８】
実施例３の突起物のケレン工具３は、実施例１の突起物のケレン工具１とほぼ同様の構成となっている。このため、突起物のケレン工具１と異なる点についてのみ説明する。なお、同様の構成については突起物のケレン工具１と同一の符号を付している。
【００２９】
図６に示すとおり、突起物のケレン工具３には、ガイド部４０が設けられている。ガイド部４０は、金属線材３０を固装する部材２２に形成されており、具体的には、本体２０の前方端部２１の内側で、金属線材３０の隣り合う列同士の間に、本体２０の中心軸方向に山型状に形成されている。ガイド部４０は、本体２０が回転すると、本体２０の中心軸を突起物の中心軸と一致させる方向に本体２０を誘導する。ガイド部４０は、図７に示すガイド部４１のような形状としてもよい。本実施例ではガイド部４０を含む部材２２の材料は、アルミニウム合金であるが、材料はこれに限られるものではない。
【００３０】
これにより、作業者は、本体２０の中心軸をナットの中心軸と合わせるために不必要な力を入れる必要がなく楽に作業ができる。また、金属線材３０が降伏点を超えて曲がり、突起物のケレン工具３が使用不能に陥ることを防止することができる。なお、突起物のケレン工具３の使用方法は、突起物のケレン工具１の使用方法と同じである。
【符号の説明】
【００３１】
１：突起物のケレン工具１（実施例１）、  ２：突起物のケレン工具２（実施例２）
３：突起物のケレン工具３（実施例３）
１０：連結部、
２０：本体、    ２１：前方端部、    ２２：部材
３０：金属線材、    ３１：金属線材
４０：ガイド部、    ４１：ガイド部
１００：電動ドリル  
【図１】
2011218449.tif 000003
【図２】
2011218449.tif 000004
【図３】
2011218449.tif 000005
【図４】
2011218449.tif 000006
【図５】
2011218449.tif 000007
【図６】
2011218449.tif 000008
【図７】
2011218449.tif 000009